(57)【要約】【課題】身体特性情報をユーザ自身が参照でき、かつ公開の可否を設定可能とし、ユーザの身体特性情報を管理できる医療情報管理システムを提供する。【解決手段】身体特性情報提供要求手段１１は、医療機関を指定した身体特性情報の登録要求をユーザ端末４０から受信すると、ユーザＩＤを含む身体特性情報提供要求を、対応する医療機関端末５０に送信する。身体特性情報登録手段１２は、身体特性情報提供要求を受信した医療機関端末５０から提供された身体特性情報を、ユーザＩＤとユーザにより指定された公開条件と対応付けて身体特性情報データベース２０に登録する。身体特性情報検索手段１３は、医療機関端末５０からユーザを指定して身体特性情報の公開要求を受信すると、身体特性情報データベース２０から登録された身体特性情報を検索する。公開可否判定手段１４は、検索された身体特性情報の公開の可否を対応する公開条件に基づいて判定する。【選択図】図１
2010072714.tif 000002
【特許請求の範囲】
【請求項１】
医療機関を指定した身体特性情報の登録要求をユーザ端末から受信すると、ユーザＩＤを含む身体特性情報提供要求を、対応する医療機関端末に送信する身体特性情報提供要求手段と、
前記身体特性情報提供要求を受信した医療機関端末から提供された身体特性情報を、ユーザＩＤと、ユーザにより指定された公開条件と対応付けて身体特性情報データベースに登録する身体特性情報登録手段と、
医療機関端末から、ユーザを指定して身体特性情報の公開要求を受信すると、前記身体特性情報データベースから、前記登録された身体特性情報を検索する身体特性情報検索手段と、
前記検索された身体特性情報の公開の可否を、対応する公開条件に基づいて判定する公開可否判定手段と、を備えることを特徴とする医療情報管理システム。
【請求項２】
前記身体特性情報は、病名及び症状の少なくとも一方、投薬内容及び投薬による影響の少なくとも一方、診察内容、検査内容、並びに、アレルゲン及び対応する症状を含むアレルギー情報の少なくとも１つを含む、請求項１に記載の医療情報管理システム。
【請求項３】
前記アレルギー情報は、ユーザ端末から受信する情報によって、追加及び更新可能である、請求項２に記載の医療情報管理システム。
【請求項４】
製品の原材料を含む製品情報と、前記身体特性情報データベースに登録されたユーザのアレルギー情報とを参照し、前記製品がユーザのアレルゲンであるか否かを判定するアレルゲン判定手段と、
前記アレルゲン判定手段がユーザのアレルゲンであると判定すると、そのアレルゲンを含むアレルギー情報を前記身体特性情報データベースに登録するアレルギー情報登録手段と、を更に備える、請求項２に記載の医療情報管理システム。
【請求項５】
前記製品情報を登録する製品特性情報データベースから特定のアレルゲンを含む製品の数を抽出し、前記身体特性情報データベースからアレルギー情報を参照して、前記抽出された特定のアレルゲンによりアレルギー症状が発生するユーザの数を抽出する抽出手段を更に備える、請求項４に記載の医療情報管理システム。
【請求項６】
前記ユーザ端末又は医療機関端末の正当性を検証する認証手段を更に備える、請求項１〜５の何れか一に記載の医療情報管理システム。
【請求項７】
前記公開条件は、身体特性情報の内の特定の情報と、該特定の情報を公開可能な相手先端末とを関連づけた情報を含む、請求項１〜６の何れか一に記載の医療情報管理システム。
【請求項８】
医療機関を指定した身体特性情報の登録要求をユーザ端末から受信すると、ユーザＩＤを含む身体特性情報提供要求を、対応する医療機関端末に送信するステップと、
前記身体特性情報提供要求を受信した医療機関端末から提供された身体特性情報を、ユーザＩＤと、ユーザにより指定された公開条件と対応付けて身体特性情報データベースに登録するステップと、
医療機関端末から、ユーザを指定して身体特性情報の公開要求を受信すると、前記身体特性情報データベースから、前記登録された身体特性情報を検索するステップと、
前記検索された身体特性情報の公開の可否を、対応する公開条件に基づいて判定するステップとを有することを特徴とする医療情報管理方法。
【請求項９】
製品の原材料を含む製品情報と、前記身体特性情報データベースに登録されたユーザのアレルギー情報とを参照し、前記製品がユーザのアレルゲンであるか否かを判定するステップと、
前記判定するステップでユーザのアレルゲンであると判定すると、そのアレルゲンを含むアレルギー情報を前記身体特性情報データベースに登録するステップと、を更に備える、請求項８に記載の医療情報管理方法。
【請求項１０】
ユーザの身体特性情報を管理するコンピュータのためのプログラムであって、前記コンピュータに、
医療機関を指定した身体特性情報の登録要求をユーザ端末から受信すると、ユーザＩＤを含む身体特性情報提供要求を、対応する医療機関端末に送信するステップと、
前記身体特性情報提供要求を受信した医療機関端末から提供された身体特性情報を、ユーザＩＤと、ユーザにより指定された公開条件と対応付けて身体特性情報データベースに登録するステップと、
医療機関端末から、ユーザを指定して身体特性情報の公開要求を受信すると、前記身体特性情報データベースから、前記登録された身体特性情報を検索するステップと、
前記検索された身体特性情報の公開の可否を、対応する公開条件に基づいて判定するステップとを実行させることを特徴とするプログラム。
【請求項１１】
前記コンピュータに、
製品の原材料を含む製品情報と、前記身体特性情報データベースに登録されたユーザのアレルギー情報とを参照し、前記製品がユーザのアレルゲンであるか否かを判定するステップと、
前記判定するステップでユーザのアレルゲンであると判定すると、そのアレルゲンを含むアレルギー情報を前記身体特性情報データベースに登録するステップと、を更に実行させる、請求項１０に記載のプログラム。
【発明の詳細な説明】
【技術分野】
【０００１】
本発明は、医療情報管理システム、医療情報管理方法及びプログラムに関し、更に詳しくは、ユーザの身体特性情報の管理、及び製品情報の確認等を行う医療情報管理システム、医療情報管理方法及びプログラムに関する。
【背景技術】
【０００２】
医療機関は、患者を診察した際の診療情報をカルテにより管理している。医療機関は、患者が再度診察を受けた際には、カルテに記録された診療情報に基づいて、迅速な診療を行うことができる。診療情報には、診断内容、治療内容、投薬内容、検査結果等が含まれる。
【０００３】
しかし、カルテは、受診した医療機関でのみ管理されており、他の医療機関との間で共有されていない。そのため、患者が転居等により他の医療機関で診察を受ける場合には、他の医療機関では、上記医療機関で既に行った検査等を再度患者に対して行い、新たなカルテを作成しなければならなかった。
【０００４】
特許文献１には、診療情報を電子カルテに記録し、ネットワークを介して電子カルテを他の医療機関に開示するシステムが記載されている。このシステムでは、電子カルテサーバと紹介患者サーバと、これらの各サーバにネットワークを介して接続された紹介先医療機関計算機及び紹介元医療機関計算機とを有する。紹介先医療機関計算機から紹介患者の診療情報の照会を受けたとき、紹介患者サーバは、紹介患者診療情報ファイルを検索して該当する診療情報を取得し、紹介先医療機関計算機へ送信する。紹介先医療機関計算機は受信した診療情報を表示装置上に表示する。
【０００５】
特許文献２には、複数の項目を含む診療情報を記憶し、診療情報のうち公開可能な項目を管理するシステムが記載されている。このシステムでは、認証して特定されたメンバーに対して公開可能である項目の診療情報を抽出し、抽出された診療情報をこのメンバーに対してのみ参照可能とする。
【０００６】
【特許文献１】特開平１１−１４３９５６号公報
【特許文献２】特開２００４−２８７７７４号公報
【発明の開示】
【発明が解決しようとする課題】
【０００７】
特許文献１に記載のシステムでは、紹介元医療機関と、紹介先医療機関との間でのみ電子カルテの送受信がなされており、また、電子カルテに蓄積された診療情報の全ての項目が開示される。そのため、患者本人が診療情報を参照できず、さらに、開示を希望しない診療情報まで紹介先医療機関に開示されてしまうという問題があった。
【０００８】
特許文献２に記載のシステムでは、診療情報のうち公開可能とする項目と、公開を希望しない項目とを患者自身で設定可能である。しかし、このシステムでは、公開先が医療機関に限定されており、患者は、診療情報を参照することができない、という問題があった。
【０００９】
ところで、近年、食料品等の製品の原材料や含有物に起因するアレルギー症状に悩まされている人々が増えている。しかし、原材料や含有物は複雑に加工されており、製品を見ただけで原材料や含有物を把握することは困難である。さらに、食料品だけでなく、投薬によってアレルギー症状を生じることもあるが、患者自身が薬の成分から身体への影響の有無を把握することは困難である。そのため、アレルギー症状の原因となるアレルゲンや、アレルゲンに伴うアレルギー症状に関するアレルギー情報を管理することが求められている。以下、上記診療情報とアレルギー情報とを含めて、身体特性情報と称する。
【００１０】
本発明は、身体特性情報をユーザ自身が参照でき、かつ公開の可否を設定可能とし、ユーザの身体特性情報を管理できる医療情報管理システム、医療情報管理方法及びプログラムを提供することを目的とする。
【課題を解決するための手段】
【００１１】
上記目的を達成するために、本発明は、医療機関を指定した身体特性情報の登録要求をユーザ端末から受信すると、ユーザＩＤを含む身体特性情報提供要求を、対応する医療機関端末に送信する身体特性情報提供要求手段と、
前記身体特性情報提供要求を受信した医療機関端末から提供された身体特性情報を、ユーザＩＤと、ユーザにより指定された公開条件と対応付けて身体特性情報データベースに登録する身体特性情報登録手段と、
医療機関端末から、ユーザを指定して身体特性情報の公開要求を受信すると、前記身体特性情報データベースから、前記登録された身体特性情報を検索する身体特性情報検索手段と、
前記検索された身体特性情報の公開の可否を、対応する公開条件に基づいて判定する公開可否判定手段と、を備えることを特徴とする医療情報管理システムを提供する。
【００１２】
また、本発明は、医療機関を指定した身体特性情報の登録要求をユーザ端末から受信すると、ユーザＩＤを含む身体特性情報提供要求を、対応する医療機関端末に送信するステップと、
前記身体特性情報提供要求を受信した医療機関端末から提供された身体特性情報を、ユーザＩＤと、ユーザにより指定された公開条件と対応付けて身体特性情報データベースに登録するステップと、
医療機関端末から、ユーザを指定して身体特性情報の公開要求を受信すると、前記身体特性情報データベースから、前記登録された身体特性情報を検索するステップと、
前記検索された身体特性情報の公開の可否を、対応する公開条件に基づいて判定するステップとを有することを特徴とする医療情報管理方法を提供する。
【００１３】
さらに、本発明は、ユーザの身体特性情報を管理するコンピュータのためのプログラムであって、前記コンピュータに、
医療機関を指定した身体特性情報の登録要求をユーザ端末から受信すると、ユーザＩＤを含む身体特性情報提供要求を、対応する医療機関端末に送信するステップと、
前記身体特性情報提供要求を受信した医療機関端末から提供された身体特性情報を、ユーザＩＤと、ユーザにより指定された公開条件と対応付けて身体特性情報データベースに登録するステップと、
医療機関端末から、ユーザを指定して身体特性情報の公開要求を受信すると、前記身体特性情報データベースから、前記登録された身体特性情報を検索するステップと、
前記検索された身体特性情報の公開の可否を、対応する公開条件に基づいて判定するステップとを実行させることを特徴とするプログラムを提供する。
【発明の効果】
【００１４】
本発明の医療情報管理システム、医療情報管理方法及びプログラムでは、身体特性情報をユーザ自身が参照でき、かつ公開の可否を設定可能とし、ユーザの身体特性情報を管理できる。
【発明を実施するための最良の形態】
【００１５】
以下、図面を参照し、本発明の例示的な実施の形態について詳細に説明する。
（第１の実施形態）
図１は、本発明の第１の実施形態に係る医療情報管理システムの構成を示す図である。医療情報管理システム１００は、患者（ユーザ）の身体特性情報を管理するシステムである。医療情報管理システム１００は、管理サーバ１０を備えている。管理サーバ１０は、プログラムによって制御されるコンピュータとして構成されている。管理サーバ１０は、身体特性情報が記憶された身体特性情報データベース２０に接続されている。また、管理サーバ１０は、インターネット等のネットワーク３０を介して身体特性情報登録検索端末４０と医療情報登録検索端末５０とに接続されている。
【００１６】
図２は、身体特性情報データベース２０の構成を示す図である。身体特性情報データベース２０は、ユーザ情報２１と、診療情報２２と、アレルギー情報２３とを含む身体特性情報と、公開条件２４とを記憶している。ユーザ情報２１は、例えば、ユーザＩＤとして用いられる保険証番号や、氏名、住所、性別、生年月日等を含む。診療情報２２は、病名、症状、投薬内容、投薬による影響、診察内容、検査内容等を含む。アレルギー情報２３は、アレルゲン、アレルゲンに伴うアレルギー症状を含む。
【００１７】
公開条件２４は、身体特性情報の診療情報２２及びアレルギー情報２３に含まれる各項目のうち、いずれを公開可又は非公開とするかを示す情報２５と、公開可とされた各項目の公開先を指定する情報２６とを含む。公開先としては、特定の医療機関での医療情報登録検索端末５０が挙げられる。ここで、情報２５で○印は公開可を示し、×印は非公開を示す。また、情報２６でのアルファベットは、公開先である特定の医療情報登録検索端末５０を示すものである。情報２６で空白の箇所は、全ての医療機関へ公開可又は非公開であることを示す。なお、公開可とする項目は、診療情報２２及びアレルギー情報２３に含まれる各項目に限定されず、ユーザ情報２１に含まれる各項目としてもよい。
【００１８】
ここで、管理サーバ１０の動作を概略的に説明する。まず、管理サーバ１０は、身体特性情報登録検索端末４０からユーザ自身の身体特性情報を身体特性情報データベース２０へ登録する登録要求を受信する。次に、管理サーバ１０は、この登録要求を対応する医療情報登録検索端末５０に送信する。続いて、管理サーバ１０は、医療情報登録検索端末５０からユーザの登録要求に応じた身体特性情報を受信して、この身体特性情報を身体特性情報データベース２０へ登録する。
【００１９】
さらに、管理サーバ１０は、医療情報登録検索端末５０からユーザを指定した身体特性情報の公開要求を受信する。続いて、管理サーバ１０は、身体特性情報データベース２０から該当する身体特性情報を検索して、公開の可否を判定し、公開可とされる情報を医療情報登録検索端末５０に送信する。
【００２０】
身体特性情報登録検索端末４０は、ユーザにより操作されるユーザ端末であって、パーソナルコンピュータ等の情報処理装置である。身体特性情報登録検索端末４０は、ユーザ操作に従い上記登録要求や公開条件２４を管理サーバ１０に送信する。
【００２１】
医療情報登録検索端末５０は、医療機関等に設置され、医師や病院職員により操作される医療機関端末であって、パーソナルコンピュータ等の情報処理装置である。医療情報登録検索端末５０は、医師等の操作に従いユーザの登録要求に応じた身体特性情報を、管理サーバ１０に送信する。また、医療情報登録検索端末５０は、ユーザを指定して身体特性情報データベース２０に登録された身体特性情報の公開要求を、管理サーバ１０に送信する。さらに、医療情報登録検索端末５０は、公開条件２４に基づいて身体特性情報のうち公開可とされている情報を管理サーバ１０から受信し、この各情報を参照する。但し、ユーザが意識不明等となっている緊急時であれば、公開条件２４に従う必要がないようにすることができる。緊急時には、医療情報登録検索端末５０が、公開先として指定されていない場合であっても、ユーザの身体特性情報の全て、又は公開可とされている項目が参照可能となる。
【００２２】
管理サーバ１０は、図１に示すように、身体特性情報提供要求手段１１と、身体特性情報登録手段１２と、身体特性情報検索手段１３と、公開可否判定手段１４とを備える。以下では便宜上、これら各手段１１〜１４による各処理を、図１に括弧書きで示した箇所と対応付けて説明する。身体特性情報提供要求手段１１は、医療機関を指定した身体特性情報の登録要求を、身体特性情報登録検索端末４０からネットワーク３０を介して受信する（ａ，ｂ）。この登録要求を受信した身体特性情報提供要求手段１１は、ユーザＩＤを含む身体特性情報提供要求を、対応する医療情報登録検索端末５０に送信する（ｃ，ｄ）。
【００２３】
身体特性情報登録手段１２は、身体特性情報提供要求を受信した医療情報登録検索端末５０から提供された身体特性情報を、ユーザＩＤと、ユーザにより指定された公開条件２４と対応付けて身体特性情報データベース２０に登録する（ｅ，ｆ，ｇ）。
【００２４】
身体特性情報検索手段１３は、ユーザを指定した身体特性情報の公開要求を、医療情報登録検索端末５０からネットワーク３０を介して受信する（ｈ，ｉ）。この公開要求を受信した身体特性情報検索手段１３は、身体特性情報データベース２０から、登録された身体特性情報を検索し（ｊ）、検索結果を公開可否判定手段１４に受け渡す（ｋ）。公開可否判定手段１４は、検索された身体特性情報の公開の可否を、対応する公開条件２４に基づいて判定し（ｌ）、公開可とされる情報を医療情報登録検索端末５０に送信する（ｍ）。
【００２５】
図３は、医療情報管理システム１００の動作を示すフローチャートである。管理サーバ１０の身体特性情報提供要求手段１１は、医療機関を指定した身体特性情報の登録要求を、身体特性情報登録検索端末４０からネットワーク３０を介して受信する（ステップＳ１）。この登録要求を受信した身体特性情報提供要求手段１１は、保険証番号等のユーザＩＤを含む身体特性情報提供要求を、対応する医療情報登録検索端末５０に送信する（ステップＳ２）。
【００２６】
次に、管理サーバ１０の身体特性情報登録手段１２は、身体特性情報提供要求を受信した医療情報登録検索端末５０から提供された身体特性情報を、ユーザＩＤと、ユーザにより指定された公開条件２４と対応付けて身体特性情報データベース２０に登録する（ステップＳ３）。
【００２７】
次に、管理サーバ１０の身体特性情報検索手段１３は、ユーザを指定した身体特性情報の公開要求を、医療情報登録検索端末５０からネットワーク３０を介して受信する（ステップＳ４）。この公開要求を受信した身体特性情報検索手段１３は、身体特性情報データベース２０から登録された身体特性情報を検索する（ステップＳ５）。続いて、公開可否判定手段１４は、検索された身体特性情報の公開の可否を、対応する公開条件２４に基づいて判定する（ステップＳ６）。さらに、公開可否判定手段１４は、公開可とされる情報を医療情報登録検索端末５０に送信する（ステップＳ７）。
【００２８】
管理サーバ１０では、身体特性情報提供要求手段１１が、医療機関を指定した身体特性情報の登録要求を身体特性情報登録検索端末４０から受信すると、ユーザＩＤを含む身体特性情報提供要求を、対応する医療情報登録検索端末５０に送信する。また、身体特性情報登録手段１２が、身体特性情報提供要求を受信した医療情報登録検索端末５０から提供された身体特性情報を、ユーザＩＤとユーザにより指定された公開条件２４と対応付けて身体特性情報データベース２０に登録する。これにより、身体特性情報登録検索端末４０からの要求に従い、ユーザにより指定された公開条件２４を対応付けた身体特性情報を、身体特性情報データベース２０に登録できる。
【００２９】
また、身体特性情報検索手段１３が、医療情報登録検索端末５０から、ユーザを指定して身体特性情報の公開要求を受信すると、身体特性情報データベース２０から、登録された身体特性情報を検索する。また、公開可否判定手段１４が、検索された身体特性情報の公開の可否を対応する公開条件２４に基づいて判定する。これにより、医療情報登録検索端末５０からの公開要求に従い、登録された身体特性情報を公開条件２４に基づいて公開の可否を判定し、公開可とされる情報を参照できる。
【００３０】
従って、医療情報管理システム１００では、身体特性情報の登録、公開の可否をユーザ自身で管理し、特定の医療機関に身体特性情報を提供することで、医療機関ではなくユーザが主体となって、ユーザ自身の身体特性情報を一生涯継続的に管理できる。
【００３１】
（第２の実施形態）
図４は、本発明の第２の実施形態に係る医療情報管理システムの構成を示す図である。以下に示す医療情報管理システムでは、第１の実施形態に係る医療情報管理システム１００と同一の機能等を有する手段には同一符号を付し、説明を適宜省略する。医療情報管理システム１００Ａは、図４（ａ）に示す管理サーバ１０Ａを備える。医療情報管理システム１００Ａは、管理サーバ１０Ａによってプログラム制御され動作する。管理サーバ１０Ａは、身体特性情報データベース２０及び製品特性情報データベース６０に接続されている。
【００３２】
図５は、製品特性情報データベース６０の構成を示す図である。製品特性情報データベース６０は、食品や製品に含まれる身体に影響を与える可能性のある原材料や含有物の製品情報を記憶する。製品特性情報データベース６０は、例えば、製品情報として、食料品等の製品名６１、原材料６２、及びアレルゲンの有無を示す情報６３を記憶している。
【００３３】
管理サーバ１０Ａは、図４（ａ）に示すように、インターネット等のネットワーク３０を介して、身体特性情報登録検索端末４０Ａと、医療情報登録検索端末５０と、製品情報照会端末７０と、含有物情報登録端末８０と、統計情報検索端末９０とに接続されている。
【００３４】
身体特性情報登録検索端末４０Ａは、ユーザ操作に従い、身体特性情報データベース２０に、ユーザ自身の身体特性情報のうち、アレルギー情報を追加、更新するための要求を、管理サーバ１０Ａに送信する。また、身体特性情報登録検索端末４０Ａは、身体特性情報データベース２０に登録されているユーザ自身の身体特性情報を参照する。これ以外の機能は、第１の実施形態での身体特性情報登録検索端末４０と同様であるので、省略する。
【００３５】
製品情報照会端末７０は、パーソナルコンピュータ等の情報処理装置であって、飲食店や食料品販売店等に設置される。また、製品情報照会端末７０は、ユーザ操作に従い、身体に影響を及ぼす可能性のある物を原材料とし、又は含有している製品の原材料や含有物を検索参照するための要求を管理サーバ１０Ａに送信する。
【００３６】
さらに、製品情報照会端末７０は、検索参照された製品の原材料や含有物と、ユーザ自身の身体特性情報とを照合するための要求を、管理サーバ１０Ａに送信する。また、製品情報照会端末７０は、照合により得られたユーザの身体への影響の有無を示す情報を管理サーバ１０Ａから受信し、表示する。
【００３７】
含有物情報登録端末８０は、パーソナルコンピュータ等の情報処理装置である。含有物情報登録端末８０は、食料品等の製品の生産者の操作に従い、製品情報を製品特性情報データベース６０に登録するための登録要求を、管理サーバ１０Ａに送信する。
【００３８】
統計情報検索端末９０は、パーソナルコンピュータ等の情報処理装置であって、医療研究機関等に設置される。統計情報検索端末９０は、身体特性情報データベース２０及び製品特性情報データベース６０から統計情報を抽出するための所定の検索条件を管理サーバ１０Ａに送信する。また、統計情報検索端末９０は、管理サーバ１０Ａから各統計情報を受信し、表示する。
【００３９】
管理サーバ１０Ａは、図４（ｂ）に示すように、認証手段１５と、アレルゲン判定手段１６と、アレルギー情報登録手段１７とを追加した点で、第１の実施形態での管理サーバ１０と異なる。ここで、図４（ｂ）では、医療情報管理システム１００Ａの一部として、管理サーバ１０Ａによりプログラム制御される、身体特性情報データベース２０、製品特性情報データベース６０、身体特性情報登録検索端末４０Ａ、医療情報登録検索端末５０及び製品情報照会端末７０を示している。また、図４（ｂ）では、管理サーバ１０Ａの各処理のうち、図１に示した管理サーバ１０に比べて追加された処理についてのみ括弧書きで示している。
【００４０】
認証手段１５は、身体特性情報登録検索端末４０Ａや医療情報登録検索端末５０の正当性を検証する。一例として、認証手段１５は、身体特性情報登録検索端末４０Ａから医療機関を指定した身体特性情報の登録要求を受信すると（ｎ，ｏ）、ユーザＩＤにより身体特性情報登録検索端末４０Ａの正当性を検証する。認証手段１５は、正当性を検証すると、身体特性情報の登録要求を身体特性情報提供要求手段１１Ａに受け渡す（ｐ）。
【００４１】
アレルゲン判定手段１６は、製品の原材料を含む製品情報と、身体特性情報データベース２０に登録されたユーザのアレルギー情報２３とを参照し、製品がユーザのアレルゲンであるか否かを判定する。一例として、アレルゲン判定手段１６は、製品の原材料や含有物とユーザ自身の身体特性情報とを照合するための要求を、製品情報照会端末７０から受信する（ｑ，ｒ）。この要求を受信したアレルゲン判定手段１６は、製品特性情報データベース６０から製品情報を読み出し（ｓ）、身体特性情報データベース２０から身体特性情報を読み出して（ｔ）、両者を照合して、照合結果をアレルギー情報登録手段１７に受け渡す（ｕ）。
【００４２】
アレルギー情報登録手段１７は、アレルゲン判定手段１６が製品にユーザのアレルゲンが含まれていると判定すると、そのアレルゲンを含むアレルギー情報を身体特性情報データベース２０に登録する（ｖ）。
【００４３】
身体特性情報登録手段１２Ａは、ユーザ自身の身体特性情報のうち、アレルギー情報を追加、更新するための要求を身体特性情報登録検索端末４０Ａから受信する（ｗ，ｘ）。この要求を受信した身体特性情報登録手段１２Ａは、身体特性情報データベース２０に、追加、更新したアレルギー情報を登録する（ｙ）。これらの処理以外は、図１に示した身体特性情報登録手段１２の処理と略同様である。
【００４４】
身体特性情報検索手段１３Ａは、身体特性情報データベース２０に登録されているユーザ自身の身体特性情報を参照するための要求を、身体特性情報登録検索端末４０Ａから受信する（α，β）。この要求を受信した身体特性情報検索手段１３Ａは、身体特性情報データベース２０から該当する身体特性情報を検索する（γ）。その後は、身体特性情報検索手段１３Ａは、例えば、検索した身体特性情報を身体特性情報登録検索端末４０Ａに送信してもよい。これらの処理以外は、図１に示した身体特性情報検索手段１３の処理と略同様である。
【００４５】
以下、図６〜図８を参照して、医療管理システム１００Ａの動作についての一例を説明する。図６は、身体特性情報の登録、更新及び公開を行う際の動作を示すフローチャートである。まず、身体特性情報登録検索端末４０Ａは、管理サーバ１０Ａに対して身体特性情報データベース２０へのアクセスを要求する（ステップＡ１）。この要求を受信した管理サーバ１０Ａの認証手段１５は、ユーザＩＤとして、健康保険証の記号及び番号にてユーザを特定すると共に、予め設定したパスワードによってユーザ認証を行う（ステップＡ２）。
【００４６】
ステップＡ２で正当性を認証された身体特性情報登録検索端末４０Ａは、ユーザ自身の診断内容や治療、投薬内容、検査結果等の診療情報２２を身体特性情報データベース２０に登録することを、医療機関に対して要求する（ステップＡ３）。この要求を受信した管理サーバ１０Ａの身体特性情報提供要求手段１１Ａは、該当するユーザの診療情報２２の登録要求を、指定の医療機関の医療情報登録検索端末５０へ送信する（ステップＡ４）。
【００４７】
続いて、ステップＡ４での登録要求を受信した医療情報登録検索端末５０は、管理サーバ１０Ａに対して身体特性情報データベース２０へのアクセスを要求する（ステップＡ５）。この要求を受信した管理サーバ１０Ａの認証手段１５は、医療ＩＤ及びパスワードによりユーザ認証を行う（ステップＡ６）。正当性を認証された医療情報登録検索端末５０は、管理サーバ１０Ａに対してユーザの診療情報２２を送信する（ステップＡ７）。身体特性情報登録手段１２Ａは、医療情報登録検索端末５０から提供された診療情報２２を身体特性情報データベース２０に登録する（ステップＡ８）。このように、ステップＡ１〜Ａ８の処理によれば、ユーザの身体特性情報を身体特性情報データベース２０に登録できる。
【００４８】
また、ユーザの身体特性情報を参照する場合には、身体特性情報登録検索端末４０Ａは、管理サーバ１０Ａに対して、身体特性情報データベース２０に登録されているユーザ自身の身体特性情報の送信を要求する（ステップＡ９）。この要求を受信した管理サーバ１０Ａの身体特性情報検索手段１３Ａは、身体特性情報データベース２０から該当する身体特性情報を検索して、検索した身体特性情報を身体特性情報登録検索端末４０Ａに送信する（ステップＡ１０）。さらに、身体特性情報登録検索端末４０Ａは、検索されたユーザ自身の身体特性情報を表示する（ステップＡ１１）。このように、ステップＡ９〜Ａ１１の処理によれば、ユーザの身体特性情報を参照できる。
【００４９】
また、身体特性情報のうち、アレルギー情報を追加又は更新する場合には、身体特性情報登録検索端末４０Ａは、管理サーバ１０Ａに対して、アレルギー情報を追加又は更新するための情報を送信する（ステップＡ１２）。この情報を受信した身体特性情報登録手段１２Ａは、身体特性情報データベース２０に、追加又は更新したアレルギー情報を登録する（ステップＡ１３）。ここで、ステップＡ１２では、診療情報やユーザ自身で追加又は更新したアレルギー情報を含む身体特性情報に対して、他の医療機関等への公開可能な範囲を公開条件２４として設定できる。このように、ステップＡ１２，１３の処理によれば、アレルギー情報をユーザ自身で追加又は更新を行えると共に、公開条件２４を適宜設定できる。
【００５０】
次に、医療機関が、ユーザの身体特性情報の公開を要求する場合について説明する。まず、医療情報登録検索端末５０は、管理サーバ１０Ａに対して該当する身体特性情報の公開を要求する（ステップＡ１４）。この要求を受信した管理サーバ１０Ａの認証手段１５は、ユーザ認証を行う。続いて、身体特性情報検索手段１３Ａは、身体特性情報データベース２０から該当する身体特性情報を検索し、検索結果を公開可否判定手段１４に受け渡す。
【００５１】
公開可否判定手段１４は、検索結果に基づいて身体特性情報の公開可否の判断及び該当するユーザに確認させるための情報を、該当するユーザの身体特性情報登録検索端末４０Ａに送信する（ステップＡ１５）。ここで、ステップＡ１５では、該当者が意識不明等の緊急時であるか否かを判定し、緊急時でないときに、上記情報を身体特性情報登録検索端末４０Ａに送信する。次いで、上記情報を受信した身体特性情報登録検索端末４０Ａは、身体特性情報の公開可否についての回答を、管理サーバ１０Ａに送信する（ステップＡ１６）。
【００５２】
ステップＡ１６で受信した上記回答が公開可のとき、及びステップＡ１５で緊急時と判定され、且つ身体特性情報に対して予め緊急時に公開可と設定されているときには、公開可否判定手段１４は、該当する身体特性情報の中で公開可とされている項目を公開の要求があった医療機関の医療情報登録検索端末５０に送信する（ステップＡ１７）。医療情報登録検索端末５０では、公開可とされた項目を表示して、該当する身体特性情報を参照可能とする（ステップＡ１８）。次に、管理サーバ１０Ａでは、例えば身体特性情報データベース２０に、身体特性情報の公開先や日時及び公開内容を記録する（ステップＡ１９）。このように、ステップＡ１４〜１９の処理によれば、医療機関が、ユーザの身体特性情報の公開を要求することで、公開可とされる身体特性情報を参照できる。
【００５３】
図７は、製品情報の登録、照会及び身体への影響の有無を表示する際の動作を示すフローチャートである。まず、含有物情報登録端末８０は、食品や製品等の生産者の操作に伴い管理サーバ１０Ａに対して、製品特性情報データベース６０へのアクセスを要求する（ステップＢ１）。この要求を受信した管理サーバ１０Ａの認証手段１５は、ユーザＩＤ及びパスワードによってユーザ認証を行う（ステップＢ２）。
【００５４】
ステップＢ２で正当性を認証された含有物情報登録端末８０は、製品に含まれる身体に影響を与える可能性のある原材料や含有物を示す製品情報の追加、更新、削除等の情報を管理サーバ１０Ａに送信する（ステップＢ３）。この情報を受信した管理サーバ１０Ａは、製品特性情報データベース６０に、該当製品の原材料及び含有物の製品情報を登録し蓄積する（ステップＢ４）。このように、ステップＢ１〜Ｂ４の処理によれば、含有物情報登録端末８０を用いて、製品情報を適宜登録することができる。
【００５５】
また、製品特性情報データベース６０に登録された製品情報を照会する場合には、製品情報照会端末７０は、管理サーバ１０Ａに対して、特定の製品情報の照会を要求する（ステップＢ５）。この際には、ユーザ認証を行わず、製品情報の照会は誰でも要求可能とする。次に、この要求を受信した管理サーバ１０Ａは、製品特性情報データベース６０から該当する製品の製品情報を検索して、この製品情報を製品情報照会端末７０に送信する（ステップＢ６）。さらに、製品情報照会端末７０は、管理サーバ１０Ａから送信された製品情報を表示する（ステップＢ７）。このように、ステップＢ５〜Ｂ７の処理によれば、製品情報照会端末７０を用いて、製品特性情報データベース６０に登録されている所望の製品情報を照会できる。
【００５６】
また、照会した製品がユーザ自身の身体に影響を与える可能性があるか否かを照合する場合には、製品情報照会端末７０は、管理サーバ１０Ａに対して身体特性情報データベース２０へのアクセスを要求する（ステップＢ８）。この要求を受信した管理サーバ１０Ａの認証手段１５は、ユーザ認証を行う（ステップＢ９）。ここで、製品情報照会端末７０は、ユーザの健康保険証を読み取り可能なＩＣカードリーダを備えており、ユーザが健康保険証をＩＣカードリーダに読み取らせることでユーザ認証が行われる。
【００５７】
次に、製品情報照会端末７０は、管理サーバ１０Ａに対して、上記照会した製品の原材料や含有物の製品情報を送信すると共に、ユーザ自身の身体特性情報との照合を要求する（ステップＢ１０）。この要求を受信した管理サーバ１０Ａは、身体特性情報データベース２０から該当する身体特性情報を読み出すと共に、製品情報照会端末７０から送信された製品情報と照合して、製品による身体への影響の有無を、製品情報照会端末７０へ送信する（ステップＢ１１）。さらに、製品情報照会端末７０は、管理サーバ１０Ａから送信された製品による身体への影響の有無を表示する（ステップＢ１２）。このように、ステップＢ８〜Ｂ１２の処理によれば、製品情報照会端末７０では、製品情報と身体特性情報とを照合して、身体への影響の有無を確認できる。
【００５８】
図８は、身体特性情報データベース２０及び製品特性情報データベース６０から検索条件に基づいて統計情報を抽出する際の動作を示すフローチャートである。まず、統計情報検索端末９０は、管理サーバ１０Ａに対して製品特性情報データベース６０へのアクセスを要求する（ステップＣ１）。この要求を受信した管理サーバ１０Ａの認証手段１５は、ユーザ認証を行う（ステップＣ２）。ユーザ認証を受けた統計情報検索端末９０は、管理サーバ１０Ａに対して、特定の製品情報を検索するための検索条件を送信する（ステップＣ３）。ここでの検索条件は、例えば、製品特性情報データベース６０に登録されている製品のうち、特定のアレルゲンを含む製品を抽出するためのものとする。ステップＣ３での検索条件を受信した管理サーバ１０Ａの図示しない抽出手段は、製品特性情報データベース６０から検索条件に合致するデータ件数等の統計情報を抽出して、この統計情報を統計情報検索端末９０に送信する（ステップＣ４）。
【００５９】
続いて、統計情報検索端末９０は、管理サーバ１０Ａに対して身体特性情報データベース２０へのアクセスを要求する（ステップＣ５）。この要求を受信した管理サーバ１０Ａの認証手段１５は、ユーザ認証を行う（ステップＣ６）。ユーザ認証を受けた統計情報検索端末９０は、管理サーバ１０Ａに対して、特定の身体特性情報を検索するための検索条件を送信する（ステップＣ７）。ここでの検索条件は、例えば、ステップＣ４で抽出された製品に含まれる特定のアレルゲンによりアレルギー症状が発生するユーザを抽出するためのものとする。ステップＣ７での検索条件を受信した管理サーバ１０Ａの上記抽出手段は、身体特性情報データベース２０から検索条件に合致するデータ件数等の統計情報を抽出して、この統計情報を統計情報検索端末９０に送信する（ステップＣ８）。さらに、統計情報検索端末９０は、管理サーバ１０Ａから送信された統計情報を検索結果として表示する（ステップＣ９）。このように、ステップＣ１〜Ｃ９の処理によれば、統計情報検索端末９０では、各データベース２０，６０に蓄積された情報を、医療研究者や食料品等の製品の開発者にとって基礎データとなる統計情報として活用できる。
【００６０】
従って、医療情報管理システム１００Ａによれば、ユーザ自身で身体特性情報を公開し、さらに、アレルギー情報の追加及び更新ができるので、身体特性情報を生涯にわたって継続的に保有し管理できる。そのため、体の成長に伴う身体特性の変化や普遍な状況が分かり、医療機関を受診する際に総合的な診断を受けられる。
【００６１】
医療機関では、身体特性情報を参照することで、ユーザに対する必要以上の検査や投薬及び治療等の医療行為が不要になり、適正な診療を迅速に行うことができる。一例として、転居等に伴って医療機関を変更する場合には、以前の医療機関による過去の身体特性情報が他の医療機関で参照できるので、必要以上の検査や診療を行わずに済み、継続した診療を迅速に受けられる。また、ユーザが意識不明等の緊急時であっても、持病やアレルゲン等の身体特性情報を把握できるので、迅速な診療を期待できる。
【００６２】
また、正当性を有する端末及びユーザからのみ操作が可能であるから、身体特性情報がユーザの意に反して公開、登録、追加及び変更されることがなく、個人情報である身体特性情報の信頼性を確保できる。
【００６３】
また、身体特性情報には、診療情報だけでなく、ユーザが登録可能なアレルギー情報も含まれるので、食料品等に含まれる原材料や含有物とアレルギー情報とを照合することで、身体への影響有無を簡単に見分け、身体に影響のある物の摂取を未然に防止できる。また、アレルギー症状を抱える人々は増加しているので、日常生活で飲食物による身体への影響の有無を容易に把握できることは、アレルギー対策としても有用である。
【００６４】
また、商品販売者や飲食店等に設置された端末を用いて、ユーザ自身が、食料品や製品等による影響の有無を確認できる。このため、食料品や製品等の生産者及び提供者は、原材料や含有物の製品情報を登録するだけでよく、原材料や含有物によるユーザへの影響の有無を考慮しなくてもよい。
【００６５】
さらに、医療研究機関等は、各データベースに蓄積された情報から特定の検索条件を用いて、統計情報を抽出できる。その結果として、医療研究者は、新たな治療方法や薬品の開発に統計情報を役立てることができる。また、食料品や製品の生産者及び提供者は、統計情報を参照することで、新たな製品開発の際にユーザの身体への影響を把握することができる。
【００６６】
上記各実施形態では、身体特性情報登録検索端末４０、医療情報登録検索端末５０、製品情報照会端末７０、含有物情報登録端末８０及び統計情報検索端末９０を別々の場所に設置される別々の装置としたが、これに限定されない。即ち、これら各端末は、パーソナルコンピュータ等の情報処理装置であるので、同一の装置で兼用することも可能である。
【００６７】
また、認証手段１５によって、端末又は端末を操作するユーザの正当性を認証する認証機能を実現したが、これに限定されず、ネットワークを介して送受信される身体特性情報に対して暗号化を施す暗号化機能を備えてもよい。これにより、個人情報である身体特性情報のセキュリティ性を高めることができる。
【００６８】
本発明では、一態様として、医療機関を指定した身体特性情報の登録要求をユーザ端末から受信すると、ユーザＩＤを含む身体特性情報提供要求を、対応する医療機関端末に送信する身体特性情報提供要求手段と、身体特性情報提供要求を受信した医療機関端末から提供された身体特性情報を、ユーザＩＤと、ユーザにより指定された公開条件と対応付けて身体特性情報データベースに登録する身体特性情報登録手段と、医療機関端末から、ユーザを指定して身体特性情報の公開要求を受信すると、身体特性情報データベースから、登録された身体特性情報を検索する身体特性情報検索手段と、検索された身体特性情報の公開の可否を、対応する公開条件に基づいて判定する公開可否判定手段と、を備える構成を採用できる。
【００６９】
上記構成により、ユーザ端末からの要求に従い、ユーザにより指定された公開条件を対応付けた身体特性情報をデータベースに登録し、医療機関端末からの要求に従い、登録された身体特性情報を公開条件に基づいて公開の可否を判定できる。
【００７０】
また、身体特性情報は、病名及び症状の少なくとも一方、投薬内容及び投薬による影響の少なくとも一方、診察内容、検査内容、並びに、アレルゲン及び対応する症状を含むアレルギー情報の少なくとも１つを含む構成を採用できる。これにより、診療情報だけでなくアレルギー情報も含む身体特性情報を管理できる。
【００７１】
また、アレルギー情報は、ユーザ端末から受信する情報によって、追加及び更新可能である。これにより、アレルギー情報は、医療機関だけに限らず、ユーザ自身で変更できるから、アレルギー情報の信頼性を高めることができる。
【００７２】
また、製品の原材料を含む製品情報と、身体特性情報データベースに登録されたユーザのアレルギー情報とを参照し、製品がユーザのアレルゲンであるか否かを判定するアレルゲン判定手段と、アレルゲン判定手段がユーザのアレルゲンであると判定すると、そのアレルゲンを含むアレルギー情報を身体特性情報データベースに登録するアレルギー情報登録手段と、を更に備える構成を採用できる。これにより、製品情報からユーザのアレルゲンを判定するので、身体特性情報データベースに登録されるアレルギー情報の信頼性をより高めることができる。
【００７３】
また、製品情報を登録する製品特性情報データベースから特定のアレルゲンを含む製品の数を抽出し、身体特性情報データベースからアレルギー情報を参照して、抽出された特定のアレルゲンによりアレルギー症状が発生するユーザの数を抽出する抽出手段を更に備える構成を採用できる。これにより、製品特性情報データベース及び身体特性情報データベースから統計情報を抽出できる。
【００７４】
また、ユーザ端末又は医療機関端末の正当性を検証する認証手段を更に備える構成を採用できる。これにより、正当性を有するユーザ端末又は医療機関端末からのみ操作が可能となり、身体特性情報が、ユーザの意に反して公開、登録、追加及び変更されることがない。
【００７５】
また、公開条件は、身体特性情報の内の特定の情報と、該特定の情報を公開可能な相手先端末とを関連づけた情報を含んでもよい。これにより、ユーザの意に沿った特定の情報のみを相手先端末に公開できる。
【００７６】
以上、本発明をその好適な実施形態に基づいて説明したが、本発明の医療情報管理システム、医療情報管理方法及びプログラムは、上記実施形態の構成にのみ限定されるものではなく、上記実施形態の構成から種々の修正及び変更を施したものも、本発明の範囲に含まれる。
【図面の簡単な説明】
【００７７】
【図１】本発明の第１の実施形態に係る医療情報管理システムの構成を示す図。
【図２】身体特性情報データベースの構成を示す図。
【図３】医療情報管理システムの動作を示すフローチャート。
【図４】（ａ）及び（ｂ）は、本発明の第２の実施形態に係る医療情報管理システムの構成を示す図。
【図５】製品特性情報データベースの構成を示す図。
【図６】身体特性情報の登録、更新及び公開を行う動作を示すフローチャート。
【図７】製品情報の登録、照会及び身体への影響の有無を表示する動作を示すフローチャート。
【図８】身体特性情報データベース及び製品特性情報データベースから検索条件に基づいて統計情報を抽出する動作を示すフローチャート。
【符号の説明】
【００７８】
１０，１０Ａ：管理サーバ
１１，１１Ａ：身体特性情報提供要求手段
１２，１２Ａ：身体特性情報登録手段
１３，１３Ａ：身体特性情報検索手段
１４：公開可否判定手段
１５：認証手段
１６：アレルゲン判定手段
１７：アレルギー情報登録手段
２０：身体特性情報データベース
３０：ネットワーク
４０，４０Ａ：身体特性情報登録検索端末（ユーザ端末）
５０：医療情報登録検索端末（医療機関端末）
６０：製品特性情報データベース
７０：製品情報照会端末
８０：含有物情報登録端末
９０：統計情報検索端末
１００，１００Ａ：医療情報管理システム
【図１】
2010072714.tif 000003
【図２】
2010072714.tif 000004
【図３】
2010072714.tif 000005
【図４】
2010072714.tif 000006
【図５】
2010072714.tif 000007
【図６】
2010072714.tif 000008
【図７】
2010072714.tif 000009
【図８】
2010072714.tif 000010